(57)【要約】【課題】電子情報ボード等に用いられる表示制御装置において、複数のモードが存在するために利用者が操作誤りをしてしまうという問題を解消する。【解決手段】利用者に表示するアプリケーションの状態情報の初期設定を行う状態情報初期設定手段と、利用者の操作による操作イベントを受信し、受信した操作イベントに対応して表示する状態情報をデータベースに登録する状態情報登録手段と、前記データベースに登録されている状態情報を監視し、表示する状態情報を決定する状態情報表示制御手段と、決定された状態情報を表示画面内に表示する状態表示手段とを備え、少なくとも１つ以上の状態情報を所定のタイミングで前記表示画面内に表示する。【選択図】図４
2013239147.tif 000002
【特許請求の範囲】
【請求項１】
利用者に表示するアプリケーションの状態情報の初期設定を行う状態情報初期設定手段と、
利用者の操作による操作イベントを受信し、受信した操作イベントに対応して表示する状態情報をデータベースに登録する状態情報登録手段と、
前記データベースに登録されている状態情報を監視し、表示する状態情報を決定する状態情報表示制御手段と、
決定された状態情報を表示画面内に表示する状態表示手段と
を備え、
少なくとも１つ以上の状態情報を所定のタイミングで前記表示画面内に表示する
ことを特徴とする表示制御装置。
【請求項２】
請求項１に記載の表示制御装置において、
前記状態情報は他の状態情報と同時に表示されない背反関係の情報を含み、
背反関係の情報を含む一の状態情報を表示に設定する場合に、背反関係のある他の状態情報を非表示に設定する
ことを特徴とする表示制御装置。
【請求項３】
請求項１または２のいずれか一項に記載の表示制御装置において、
前記状態情報は定期的に表示すべき状態情報であるか否かの情報を含み、
定期的に表示すべき状態情報である旨の情報を含む場合に、前記状態情報表示制御手段は現在時間が定期的に表示すべき時間に達した場合に当該状態情報を表示するものと決定する
ことを特徴とする表示制御装置。
【請求項４】
請求項１乃至３のいずれか一項に記載の表示制御装置において、
前記状態情報は、電子情報ボードにおける書き込みモードに対応する第１の状態情報とＰＣ操作モードに対応する第２の状態情報とを有する
ことを特徴とする表示制御装置。
【請求項５】
コンピュータを、
利用者に表示するアプリケーションの状態情報の初期設定を行う状態情報初期設定手段、
利用者の操作による操作イベントを受信し、受信した操作イベントに対応して表示する状態情報をデータベースに登録する状態情報登録手段、
前記データベースに登録されている状態情報を監視し、表示する状態情報を決定する状態情報表示制御手段、
決定された状態情報を表示画面内に表示する状態表示手段
として機能させ、
少なくとも１つ以上の状態情報を所定のタイミングで前記表示画面内に表示する
ことを特徴とする表示制御プログラム。
【請求項６】
画像を表示する表示装置と、表示制御装置とを備え、
前記表示制御装置は、
利用者に表示するアプリケーションの状態情報の初期設定を行う状態情報初期設定手段と、
利用者の操作による操作イベントを受信し、受信した操作イベントに対応して表示する状態情報をデータベースに登録する状態情報登録手段と、
前記データベースに登録されている状態情報を監視し、表示する状態情報を決定する状態情報表示制御手段と、
決定された状態情報を表示画面内に表示する状態表示手段と
を備え、
少なくとも１つ以上の状態情報を所定のタイミングで前記表示画面内に表示する
ことを特徴とする表示システム。
【発明の詳細な説明】
【技術分野】
【０００１】
本発明は、電子情報ボード等に用いられる表示制御装置に関する。
【背景技術】
【０００２】
液晶やプラズマなどのフラットパネルやプロジェクタを用いた４０インチ〜６０インチ程度のサイズの大型のディスプレイにタッチパネルを搭載した、いわゆる「電子情報ボード」製品が市場に出ている。
【０００３】
これらの製品はパソコン（ＰＣ：Personal Computer）を接続することによって、接続したパソコンの画面を大きく映すことができ、企業や行政機関の会議におけるプレゼンテーションや教育機関における講義等で用いられている。
【０００４】
この種の電子情報ボードには、搭載するタッチパネル機能を用いて、映されている画面にマウス操作の代わりに直接タッチすることで、画面を表示しているパソコンを操作することのできる、（１）タッチパネルを介したパソコン操作機能、が提供されている。
【０００５】
さらに、接続したパソコン上で動かすことのできる電子黒板アプリケーションソフトウェアがこれらの機器と一緒に提供されている。
【０００６】
この電子黒板アプリケーションソフトウェアは、黒板の役割をする画面を提供し、その上に手書き文字などをタッチパネルを介して描く機能や、このアプリケーションを提供するパソコンの画面を取り込んでその上に手書きを重畳して描く機能など、（２）タッチパネルを介した手書機能、が提供されている。
【０００７】
このような手書き機能が動作する電子情報ボードを利用すると、オフィスの会議シーン等において、説明のための資料を表示しながら、適宜画面上に直接に指摘事項等の書き込みを行い、さらに必要に応じて書き込みを含む画面内容を記録することができ、その結果、会議終了時に画面内容を振り返り、画面内容を再利用することで、効率的に結論などをまとめることが期待できる。
【発明の概要】
【発明が解決しようとする課題】
【０００８】
このような機能を有する電子情報ボードを会議等に利用する場合おいて重要なことは、電子情報ボートアプリケーション以外のＰＣアプリ操作により必要な情報を表示しつつ、適宜に手書き情報を入力が可能であることと、表示・入力した情報の記録が漏れなく残るという点である。
【０００９】
特に、会議の成果物を次工程で活用するという観点からは、後者の情報の記録を漏れなく残すという点が最も重要である。電子情報ボードでは情報の記録漏れをなくすために、表示面からの入力をＰＣアプリ操作への入力とするＰＣアプリ操作・表示モードと、手書き情報追加の入力とする手書き入力・記録モードとを利用者が明示的に指定する方式を用いており（例えば、特許文献１等を参照。）、これにより情報の記録漏れを回避することが可能となっている。
【００１０】
しかし、従来の電子情報ボードでは、ＰＣアプリ操作・表示モードと手書き入力・記録モードという複数のモードがあるため、利用者が一つのモードを選択したまま一定時間にわたって電子情報ボードを利用していない場合、どのモードを選択していたかを忘れてしまい、ＰＣアプリ操作・表示モードで手書き入力をしてしまって誤動作を引き起こしてしまったり、逆に手書き入力・操作モードでＰＣアプリ操作をしてしまって書き込み誤りをしてしまったりすることがあり、その結果、作業効率を低下させてしまうという問題があった。
【００１１】
本発明は上記の従来の問題点に鑑み提案されたものであり、その目的とするところは、電子情報ボード等に用いられる表示制御装置において、複数のモードが存在するために利用者が操作誤りをしてしまうという問題を解消することにある。
【課題を解決するための手段】
【００１２】
上記の課題を解決するため、本発明にあっては、利用者に表示するアプリケーションの状態情報の初期設定を行う状態情報初期設定手段と、利用者の操作による操作イベントを受信し、受信した操作イベントに対応して表示する状態情報をデータベースに登録する状態情報登録手段と、前記データベースに登録されている状態情報を監視し、表示する状態情報を決定する状態情報表示制御手段と、決定された状態情報を表示画面内に表示する状態表示手段とを備え、少なくとも１つ以上の状態情報を所定のタイミングで前記表示画面内に表示するようにしている。
【発明の効果】
【００１３】
本発明の表示制御装置にあっては、電子情報ボード等に用いられる表示制御装置において、現在選択されているモードを所定のタイミングで画面上に表示することにより利用者が現在のモードを意識することができ、モード誤りによる操作誤りを軽減することができる。
【図面の簡単な説明】
【００１４】
【図１】本発明の一実施形態にかかる表示システムの外観の例を示す図である。
【図２】表示装置のディスプレイおよびタッチパネルとＰＣの接続例を示す図である。
【図３】表示システムのハードウェア構成例を示す図である。
【図４】表示システムのソフトウェア構成例を示す図である。
【図５】状態情報ＤＢのデータ構造例を示す図である。
【図６】アプリケーション画面の例を示す図である。
【図７】アプリケーション画面のウインドウレイヤ構成の例を示す図である。
【図８】初期設定処理および操作イベント取得処理の例を示すフローチャートである。
【図９】初期状態のアプリケーション画面の例を示す図である。
【図１０】手書き入力処理の例を示すフローチャートである。
【図１１】削除モード処理の例を示すフローチャートである。
【図１２】編集モード処理の例を示すフローチャートである。
【図１３】ペンの色変更処理の例を示すフローチャートである。
【図１４】ペンの太さ変更処理の例を示すフローチャートである。
【図１５】新規画面処理の例を示すフローチャートである。
【図１６】記録画面呼び出し処理の例を示すフローチャートである。
【図１７】ＰＣアプリ起動処理の例を示すフローチャートである。
【図１８】ＰＣアプリ操作処理の例を示すフローチャートである。
【図１９】記録画面保存処理の例を示すフローチャートである。
【図２０】状態情報初期設定処理の例を示すフローチャートである。
【図２１】初期化後の状態情報ＤＢの例を示す図である。
【図２２】状態情報登録処理の例を示すフローチャートである。
【図２３】状態情報ＤＢの例を示す図である。
【図２４】状態情報表示制御処理の例を示すフローチャートである。
【図２５】状態情報表示処理の例を示すフローチャートである。
【図２６】アプリケーション画面の例を示す図である。
【発明を実施するための形態】
【００１５】
以下、本発明の好適な実施形態につき説明する。
【００１６】
＜システム構成＞
図１は本発明の一実施形態にかかる表示システムの外観の例を示す図である。
【００１７】
図１において、表示システム１００は表示装置１１と載置台１２とを備えている。表示装置１１は、接続されたＰＣのデスクトップ画面や手書きデータを表示するためのディスプレイと、手書きデータを入力したり、画面上で直接にＰＣアプリを操作したりするためのタッチパネルとを備えている。ディスプレイは液晶やプラズマ等のフラットパネルやプロジェクタから構成される。載置台１２には、表示装置１１との間で情報を入出力するＰＣ（専用ＰＣ）、ビデオ装置、プリンタ等が収容される。
【００１８】
図２は表示装置のディスプレイおよびタッチパネルとＰＣの接続例を示す図である。
【００１９】
図２において、ＰＣとディスプレイはＶＧＡ（Video Graphics Array）ケーブル等により接続され、タッチパネルとＰＣはＵＳＢ（Universal Serial Bus）ケーブル等により接続される。
【００２０】
また、ＰＣに対してＶＧＡまたはＤｉｓｐｌａｙＰｏｒｔとＵＳＢにより接続機器３を接続することで、接続機器３を表示装置１１のディスプレイに表示し、表示装置１１のタッチパネルを介して接続機器３を操作することができる。
【００２１】
図３は表示システム１００のハードウェア構成例を示す図である。
【００２２】
図３において、表示システム１００は、制御部１０１と主記憶部１０２と補助記憶部１０３と外部記憶装置Ｉ／Ｆ部１０４と外部機器接続Ｉ／Ｆ部１０５とネットワークＩ／Ｆ部１０６と入力部１０７と表示部１０８とを備えている。制御部１０１、主記憶部１０２、補助記憶部１０３、外部記憶装置Ｉ／Ｆ部１０４、外部機器接続Ｉ／Ｆ部１０５、ネットワークＩ／Ｆ部１０６は、主に表示装置１１と接続されたＰＣにより実現される。入力部１０７はＰＣのマウス、キーボードや、表示装置１１のタッチパネルに対応する。表示部１０８は、表示装置１１のディスプレイに対応する。
【００２３】
制御部１０１は、主記憶部１０２に記憶されたプログラムを実行し、データを受け取り、演算、加工した上で、データを出力する。
【００２４】
主記憶部１０２は、ＲＯＭ（Read Only Memory）やＲＡＭ（Random Access Memory）などであり、制御部１０１が実行する基本ソフトウェアであるＯＳやアプリケーションソフトウェアなどのプログラムやデータを記憶または一時保持する。
【００２５】
補助記憶部１０３は、ＨＤＤ（Hard Disk Drive）などであり、ＯＳやアプリケーションソフトウェアなどのプログラムやデータを記憶する。
【００２６】
外部記憶装置Ｉ／Ｆ部１０４は、外部記憶装置２（例えば、ＵＳＢメモリやＣＤ−ＲＯＭなど）との間でプログラムやデータを入出力する。また、外部記憶装置２に格納されたプログラムは外部記憶装置Ｉ／Ｆ部１０４を介して補助記憶部１０３インストールされる。
【００２７】
外部機器接続Ｉ／Ｆ部１０５は、図示しない情報処理装置（例えば、ＰＣやプリンタ等）などの外部機器を接続するためのインタフェースであり、ＶＧＡ入力コネクタやＵＳＢポートなどの物理インタフェースを備える。
【００２８】
ネットワークＩ／Ｆ部１０６は、有線回線や無線回線などのデータ伝送路により構築されたＬＡＮ（Local Area Network）、ＷＡＮ（Wide Area Network）などのネットワークを介して接続された、図示しない情報処理装置（例えば、ＰＣ、サーバ等）とのインタフェースの役割を果たす。
【００２９】
入力部１０７および表示部１０８は上述した通りである。
【００３０】
図４は表示システム１００のソフトウェア構成例を示す図である。
【００３１】
図４において、表示システム１００は、電子情報ボードアプリケーションにより実現されるソフトウェア機能部（機能手段）として、初期設定機能１１１、操作イベント取得機能１１２、手書き入力・記録モードの機能１１３、ＰＣ操作・表示モードの機能１２１、両モードの機能１２４、状態情報初期設定機能１２７、状態情報登録機能１２８、状態情報表示制御機能１２９、状態情報表示機能１３０を備えている。手書き入力・記録モードの機能１１３は、手書き入力機能１１４、記録画面切り替え機能１１５、新規画面機能１１６、ペンの色変更機能１１７、ペンの太さ変更機能１１８、編集モード機能１１９、削除モード機能１２０を備えている。ＰＣ操作・表示モードの機能１２１は、ＰＣアプリ起動機能１２２、ＰＣアプリ操作機能１２３、接続機器操作機能１３３を備えている。両モードの機能１２４は、記録画面保存機能１２５、終了機能１２６を備えている。
【００３２】
手書き入力・記録モードの機能１１３、ＰＣ操作・表示モードの機能１２１、両モードの機能１２４の処理においては、画面データを保持する記録画面ＤＢ１３１が用いられる。画面データには、ビットマップ（圧縮されたものを含む）等の背景となる画像データのほか、手書きストロークデータも含まれる。また、状態情報初期設定機能１２７、状態情報登録機能１２８、状態情報表示制御機能１２９、状態情報表示機能１３０の処理においては、状態情報ＤＢ１３２が用いられる。状態情報ＤＢ１３２のデータ構造については後述する。
【００３３】
初期設定機能１１１は、アプリケーション起動時に初期設定を行うための機能である。
【００３４】
操作イベント取得機能１１２は、利用者からの操作を受け付け、対応する機能を実行するための機能である。
【００３５】
手書き入力機能１１４は、利用者の手書き入力操作に従い手書き情報を表示・削除・編集・記録するとともに、画面上に手書き情報が入力されていない時に手書き入力を行った場合に現在の画面表示内容を背景画像とする記録画面を表示するための機能である。
【００３６】
記録画面切り替え機能１１５は、利用者のボタン操作に従い記録している記録画面の手書き情報と背景画像を表示するための機能である。
【００３７】
新規画面機能１１６は、利用者のボタン操作に従い現在の画面内容を記録・クリアするための機能である。
【００３８】
ペンの色変更機能１１７は、利用者のボタン操作に従い手書き線の色を変更するための機能である。
【００３９】
ペンの太さ変更機能１１８は、利用者のボタン操作に従い手書きの太さを変更するための機能である。
【００４０】
編集モード機能１１９は、利用者のボタン操作に従い手書き入力操作と手描きを選択・編集する操作とを切り替えるための機能である。
【００４１】
削除モード機能１２０は、利用者のボタン操作に従い手書き入力操作と手描きを削除する操作とを切り替えるための機能である。
【００４２】
ＰＣアプリ起動機能１２２は、利用者のボタン操作に従い専用ＰＣ内の別アプリケーションを起動・起動表示するための機能である。
【００４３】
ＰＣアプリ操作機能１２３は、利用者のボタン操作に従いＰＣアプリにページ送りキー、ページ戻しキー、およびリターンキーを入力することでＰＣアプリを操作するための機能である。
【００４４】
接続機器操作機能１３３は、利用者のボタン操作に従い接続機器３を操作するための機能である。
【００４５】
記録画面保存機能１２５は、利用者のボタン操作に従い記録されている画面情報を所定の形式で保存するための機能である。
【００４６】
終了機能１２６は、利用者のボタン操作に従いアプリケーションを終了するための機能である。
【００４７】
状態情報初期設定機能１２７は、黒板アプリが手書き入力・記録モードとＰＣ操作・表示モードのどちらのモードで動作しているか等のモード情報や、利用者の行った操作情報や現在時刻や利用時間などの付随情報といった利用者に表示するアプリケーションの状態情報の初期設定を行うための機能である。
【００４８】
状態情報登録機能１２８は、利用者の操作による操作イベントを受信し操作イベントに対応して表示する状態情報を登録するための機能である。
【００４９】
状態情報表示制御機能１２９は、定期的等の所定のタイミングに、登録されている表示すべき状態情報を監視し、表示する状態情報を決定するための機能である。
【００５０】
状態情報表示機能１３０は、状態情報を表示するための機能である。
【００５１】
図５は状態情報ＤＢ１３２のデータ構造例を示す図である。
【００５２】
図５において、横一列の各レコードが１つの状態情報になっており、各レコードは「ＩＤ」「状態情報ラベル」「定期実行フラグ」「実行遅延秒」「実行時間」「グループＩＤ」「グループ主フラグ」「状態メッセージ」「連動状態ＩＤ」「状態メッセージ変数」等のフィールド（項目）を有している。
【００５３】
「ＩＤ」は、各レコードを識別する情報である。「状態情報ラベル」は、状態情報の内容を示す情報である。「定期実行フラグ」は、状態情報の表示が定期的に実行するものなのか一時的なものなのかを示すための情報である。「実行遅延秒」は、定期実行する場合の実行間隔時間の情報である。「実行時間」は、状態情報を表示する時間の情報である。「グループＩＤ」は、定期的に表示する状態情報で互いに背反する情報群のグルーピング情報である。「グループ主フラグ」は、同じグループＩＤを持つ状態情報群の中で初期設定時に表示対象となる状態を示す情報である。「状態メッセージ」は、状態情報を表示する際の文字列情報である。「連動状態ＩＤ」は、対象状態情報と連動して表示設定される状態情報である。「状態メッセージ変数」は、状態メッセージに含まれる変数の値の情報である。
【００５４】
例えば、図５におけるＩＤ「４」は、画面上に書き込みを行うことで手書き入力・記録モードなった際の状態情報であり、定期実行フラグが「ＴＲＵＥ」なので周期的に表示が行われ、実行遅延秒が「６０」なので６０秒ごとに表示処理が実行され、次回表示時間が「１０：１２：００」である。また、グループＩＤが「１」である他の状態情報と背反関係、すなわち他のグループＩＤが「１」の状態情報が表示状態になった時は非表示状態になり、グループ主ＩＤが「ＴＲＵＥ」なので初期設定時にＷｒｉｔｉｎｇの状態情報が表示状態になり、表示されるメッセージが「書き込みモード」であり、連動して表示状態になる他の状態情報はなく、またメッセージに埋め込む変数値もないことを示している。
【００５５】
なお、前述した操作イベント取得機能１１２は、手書き入力、ＰＣ操作、ページ選択のイベントだけでなく、後述するアプリケーション画面に表示される操作ボタンを選択することによって発行されるイベントも処理するものであって、各操作ボタンに対応づけられたイベントには予め図５の状態情報ＤＢ１３２のＩＤ（識別情報）が関連付けられており、各イベントの取得処理の際に、どのイベントが発生したかをこのＩＤによって識別することができる。
【００５６】
＜画面構成＞
図６はアプリケーション画面１４１の例を示す図である。
【００５７】
図６において、アプリケーション画面１４１の右側ほぼ中央には操作ボタンバー１４３が表示されている。操作ボタンバー１４３内には、ＰＣアプリ起動ボタン１４４と、ＰＣアプリ操作ボタン１４５と、接続機器操作ボタン１５５と、４つのペンの色変更ボタン１４６と、３つのペンの太さ変更ボタン１４７と、編集モードボタン１４８と、削除モードボタン１４９と、新規画面ボタン１５０と、記録画面呼び出しボタン１５１と、記録画面保存ボタン１５２と、終了ボタン１５３とが設けられている。
【００５８】
ＰＣアプリ起動ボタン１４４は、ＰＣアプリ起動機能１２２を実行してＰＣアプリを起動する際に操作する。
【００５９】
ＰＣアプリ操作ボタン１４５は、表示されているＰＣアプリに対しＰＣアプリ操作機能１２３を実行する際に操作する。図示の例では、ページ送りキー、ページ戻しキー、決定キーの３つのボタンが設けられている。
【００６０】
接続機器操作ボタン１５５は、ＰＣアプリが起動していない接続機器３の操作機能を実行するためのものである。
【００６１】
ペンの色変更ボタン１４６は、ペンの色変更機能１１７を実行してペンの色を変更する際に操作する。図示の例では４色を選択できるようにしている。
【００６２】
ペンの太さ変更ボタン１４７は、ペンの太さ変更機能１１８を実行してペンの太さを変更する際に操作する。図示の例では３段階の線幅を選択できるようにしている。
【００６３】
編集モードボタン１４８は、編集モード機能１１９を実行して手書き入力操作と編集モード操作を切り替える際に操作する。
【００６４】
削除モードボタン１４９は、削除モード機能１２０を実行して手書き入力操作と削除操作を切り替える際に操作する。
【００６５】
新規画面ボタン１５０は、新規画面機能１１６を実行して新規画面にする際に操作する。
【００６６】
記録画面呼び出しボタン１５１は、記録画面切り替え機能１１５を実行して記録画面を呼び出して表示する際に操作する。
【００６７】
記録画面保存ボタン１５２は、記録画面保存機能１２５を実行して画面情報を保存する際に操作する。
【００６８】
終了ボタン１５３は、終了機能１２６を実行してアプリケーションを終了する際に操作する。
【００６９】
電子情報ボードアプリケーションで行える操作は手書き入力操作と上記のボタン操作がすべてであり、利用者はＰＣアプリ操作・表示モードと手書き入力・記録モードを意識的に指定することなくアプリケーションを利用することができる。
【００７０】
また、アプリケーション画面１４１の右上には、状態情報を表示する状態情報ウインドウ１５４が表示される。状態情報ウインドウ１５４は、表示するべき情報がある際に自動的に表示され、指定された時間が経過すると自動的に非表示になる。
【００７１】
図７はアプリケーション画面１４１のウインドウレイヤ構成の例を示す図である。なお、アプリケーションはマイクロソフト社のＷｉｎｄｏｗｓ（登録商標）ＯＳで操作するＷＰＦアプリケーションで構築されることを前提する。
【００７２】
図７において、ウインドウレイヤは、最前面から、すべての操作ボタンが配置されている操作ボタンウインドウＷ１、手書きを入力、編集、表示するための手書きウインドウＷ２、手書き入力・編集時に背景画像（ＰＣアプリの画像）を表示するための背景ウインドウＷ３の順で重畳され、その背後に、ＯＳのデスクトップＷ４が置かれる。また、ＰＣアプリはデスクトップＷ４上に表示され、各機能の動作時に３つのレイヤのウインドウＷ１、Ｗ２、Ｗ３は動的に表示・非表示される。
【００７３】
なお、ウインドウを重畳した場合に操作イベントを適切に各ウインドウで受信し、また重畳したウインドウ内の表示を適切にするためには、操作ボタンウインドウＷ１と手書きウインドウＷ２の背景を透明にする。なお、手書きウインドウＷ２の手書き入力・編集・表示にマイクロソフト社が提供する開発環境に含まれるInkCanvasを用いる場合、InkCanvasの背景を透明に指定すればよい。
【００７４】
＜初期設定処理、操作イベント取得処理＞
図８は初期設定処理および操作イベント取得処理の例を示すフローチャートである。
【００７５】
図８において、処理を開始すると、初期設定機能１１１による初期設定処理により、操作ボタンウインドウＷ１、手書きウインドウＷ２、および背景ウインドウＷ３を生成し、図７に示した順序で重畳する（ステップＳ１〜Ｓ３）。なお、初期状態では背景ウインドウＷ３は非表示とし、起動直後のアプリケーション画面１４１は、図９に示すように、操作ボタンバー１４３と状態情報ウインドウ１５４のみが表示された状態となる。
【００７６】
次いで、初期状態では記録画面が表示されているか否かを判断するための記録モードフラグとＰＣアプリが起動しているかどうかを判断するためのＰＣアプリフラグをともにＦａｌｓｅにする（ステップＳ４）。
【００７７】
初期設定後、操作イベント取得機能１１２による利用者からの操作イベント取得の待機状態となる（ステップＳ５）。
【００７８】
その後、利用者が操作ボタンバー１４３から所望の操作ボタンをペンデバイスなどで押下することで操作イベントが取得され（ステップＳ５のＹｅｓ）、実行する機能情報を状態情報登録機能に送信する（ステップＳ６）。これにより、各操作ボタンに対応する機能が動作する（ステップＳ７）。なお、操作ボタン以外をペンデバイスなどでタップ＆ドラッグすることで手書きの入力、削除、選択・編集が行われる。
【００７９】
＜手書き入力処理＞
図１０は手書き入力処理の例を示すフローチャートである。なお、前述したようにマイクロソフト社が提供する開発環境に含まれるInkCanvasの使用を前提とする。
【００８０】
図１０において、利用者が操作ボタン以外の画面上をタップ＆ドラッグしたイベントをInkCanvasが受信することで手書き入力処理が開始する。
【００８１】
処理が開始すると、先ず、記録モードフラグをチェックし（ステップＳ１１）、Ｆａｌｓｅ、すなわち表示画面がまだ記録画面になっていない場合（ステップＳ１１のＹｅｓ）は記録画面を新規に作成する処理を行う。
【００８２】
記録画面を新規に作成する処理は、まず手書き情報と背景画像とを保持する画面データを作成し、記録画面ＤＢ１３１のレコードの末尾に追加し、現在の画面データとする（ステップＳ１２）。なお、本例では画面データ作成時の背景画像と手描き情報は空とする。また、記録モードフラグはＴｒｕｅにする（ステップＳ１３）。
【００８３】
次に、ＰＣアプリが表示されているか否かをＰＣアプリフラグによりチェックし（ステップＳ１４）、表示されている場合（ステップＳ１４のＹｅｓ）はＰＣアプリウインドウの内容をキャプチャし、現在の画面データの背景画像とする（ステップＳ１５）。
【００８４】
さらに、背景ウインドウに現在の画面データの背景画像を表示し、背景ウインドウを表示する（ステップＳ１６）。
【００８５】
次いで、nkCanvasのＰｅｎモードを描画モード、すなわち手書き入力モードにして新規の記録画面作成を完了し（ステップＳ１７）、以降、InkCanvasが手書き描画処理を行う（ステップＳ１８）。
【００８６】
一方、記録モードフラグがＴｒｕｅ、すなわち既に記録画面が表示されている場合（ステップＳ１１のＮｏ）は、現在のＰｅｎモードに従って、以降、InkCanvasが描画／削除／選択・編集処理を行う（ステップＳ１８）。
【００８７】
＜削除モード処理＞
図１１は削除モード処理の例を示すフローチャートである。
【００８８】
図１１において、利用者が削除モードボタン１４９を押下することで削除モード処理が開始する。
【００８９】
処理が開始すると、先ず、記録モードフラグをチェックし（ステップＳ２１）、Ｔｒｕｅ、すなわち記録画面が表示されている場合（ステップＳ２１のＹｅｓ）のみ以降の処理を行う。
【００９０】
すなわち、現在のInkCanvasのＰｅｎモードの状態をチェックし（ステップＳ２２）、削除モード以外の場合（ステップＳ２２のＮｏ）はＰｅｎモードを削除モードにし（ステップＳ２３）、削除モードの場合（ステップＳ２２のＹｅｓ）はＰｅｎモードを描画モードにし（ステップＳ２４）、以降、設定されたＰｅｎモードで利用者は手書き入力を行う。
【００９１】
なお、InkCanvasはＰｅｎモードに従って自動的にカーソルの形状が変化するため、本動作例では明示的にＰｅｎモードを利用者に示していない。しかし、自動的にカーソルの形状が変化するような機構を有していない場合は、明示的に利用者にモードを示すようにしてもよい。
【００９２】
＜編集モード処理＞
図１２は編集モード処理の例を示すフローチャートである。
【００９３】
図１２において、利用者が編集モードボタン１４８を押下することで編集モード処理が開始する。
【００９４】
処理が開始すると、先ず、記録モードフラグをチェックし（ステップＳ３１）、Ｔｒｕｅ、すなわち記録画面が表示されている場合（ステップＳ３１のＹｅｓ）のみ以降の処理を行う。
【００９５】
すなわち、現在のInkCanvasのＰｅｎモードの状態をチェックし（ステップＳ３２）、編集モード以外の場合（ステップＳ３２のＮｏ）はＰｅｎモードを編集モードにし（ステップＳ３３）、編集モードの場合（ステップＳ３２のＹｅｓ）はＰｅｎモードを描画モードにし（ステップＳ３４）、以降、設定されたＰｅｎモードで利用者は手書き入力を行う。
【００９６】
なお、InkCanvasはＰｅｎモードに従って自動的にカーソルの形状が変化するため、本動作例では明示的にＰｅｎモードを利用者に示していない。しかし、自動的にカーソルの形状が変化するような機構を有していない場合は、明示的に利用者にモードを示すようにしてもよい。
【００９７】
＜ペンの色変更処理＞
図１３はペンの色変更処理の例を示すフローチャートである。
【００９８】
図１３において、利用者がペンの色変更ボタン１４６を押下することでペンの色変更処理が開始する。
【００９９】
処理が開始すると、先ず、記録モードフラグをチェックし（ステップＳ４１）、Ｔｒｕｅ、すなわち記録画面が表示されている場合（ステップＳ４１のＹｅｓ）のみ以降の処理を行う。
【０１００】
すなわち、現在のInkCanvasのストロークの色をボタンに割り当てられた色に変更し（ステップＳ４２）、以降、設定されたストローク色で利用者は手書き入力を行う。
【０１０１】
例えば、黒色のペンの色変更ボタンを押下するとストローク色は黒色となり、また赤色のペンの色変更ボタンを押下するとストローク色は青色となる。
【０１０２】
＜ペンの太さ変更処理＞
図１４はペンの太さ変更処理の例を示すフローチャートである。
【０１０３】
図１４において、利用者がペンの太さ変更ボタン１４７を押下することでペンの太さ変更処理が開始する。
【０１０４】
処理が開始すると、先ず、記録モードフラグをチェックし（ステップＳ５１）、Ｔｒｕｅ、すなわち記録画面が表示されている場合（ステップＳ５１のＹｅｓ）のみ以降の処理を行う。
【０１０５】
すなわち、現在のInkCanvasのストロークの線幅をボタンに割り当てられた線幅に変更し（ステップＳ５２）、以降、設定されたストロークの線幅で利用者は手書き入力を行う。
【０１０６】
例えば、図６の操作ボタンバー１４３の例では３つのペンの太さ変更ボタン１４７は３段階の線幅になっており、それぞれのボタンを押下すると相対的に異なる線幅となる。
【０１０７】
＜新規画面処理＞
図１５は新規画面処理の例を示すフローチャートである。
【０１０８】
図１５において、利用者が新規画面ボタン１５０を押下することで新規画面処理が開始する。
【０１０９】
処理が開始すると、先ず、記録モードフラグをチェックし（ステップＳ６１）、Ｔｒｕｅ、すなわち記録画面が表示されている場合（ステップＳ６１のＹｅｓ）のみ以降の処理を行う。
【０１１０】
すなわち、InkCanvasが保持している手書きストローク情報を現在の記録画面ＤＢ１３１の画面データに対応するレコードに保存する（ステップＳ６２）。
【０１１１】
次いで、InkCanvasが保持する手書きストローク情報をすべて削除し（ステップＳ６３）、背景ウインドウを非表示にし（ステップＳ６４）、さらに記録モードフラグをＦａｌｓｅにする（ステップＳ６５）。
【０１１２】
本処理により記録画面が非表示になるため、ＰＣアプリが起動している場合は、ＰＣアプリが表示され、また、再度手書き入力を行った場合には新たな記録画面が作成され、手書きが表示、記録されることになり、利用者は新規の画面を利用することになる。
【０１１３】
＜記録画面呼び出し処理＞
図１６は記録画面呼び出し処理の例を示すフローチャートである。
【０１１４】
図１６において、利用者が記録画面呼び出しボタン１５１を押下することで記録画面呼び出し処理が開始する。
【０１１５】
処理が開始すると、先ず、記録画面が保存されているかをチェックし（ステップＳ７１）、記録画面がない場合（ステップＳ７１のＮｏ）は以降の処理は行わない。
【０１１６】
記録画面がある場合（ステップＳ７１のＹｅｓ）、記録モードフラグをチェックし（ステップＳ７２）、Ｔｒｕｅの場合（ステップＳ７２のＹｅｓ）はInkCanvasが保持している手書きストローク情報を現在の画面データに対応する記録画面ＤＢ１３１のレコードに記録し（ステップＳ７３）、InkCanvas内の手書きストローク情報をすべて削除する（ステップＳ７４）。
【０１１７】
また、Ｆａｌｓｅの場合は、記録モードフラグをＴｒｕｅにする（ステップＳ７５）。
【０１１８】
次いで、記録画面ＤＢ１３１で現在の画面データに対応するレコードの次のレコードがあるかをチェックし（ステップＳ７６）、ある場合（ステップＳ７６のＹｅｓ）は次のレコードを現在の画面データとし（ステップＳ７７）、ない場合（ステップＳ７６のＮｏ）は記録画面ＤＢ１３１の最初のレコードを現在の画面データとする（ステップＳ７８）。
【０１１９】
次いで、現在の画面データが保持する手書きストローク情報をInkCanvasに書き出し（ステップＳ７９）、背景画像を背景ウインドウに表示し、背景ウインドウも表示する（ステップＳ８０）。
【０１２０】
最後に、InkCanvasのｐｅｎモードを描画にし（ステップＳ８１）、処理を終了する。
【０１２１】
本処理により記録画面ＤＢ１３１に記録されている記録画面を順次表示することができ、再度手書き入力が可能になる。なお、詳細は例示しないが、記録画面の一覧表示機能や一覧表示からの記録画面の呼び出し機能を追加することで利用者の利便性を向上させることができる。
【０１２２】
＜ＰＣアプリ起動処理＞
図１７はＰＣアプリ起動処理の例を示すフローチャートである。
【０１２３】
図１７において、利用者がＰＣアプリ起動ボタン１４４を押下することでＰＣアプリ起動処理が開始する。
【０１２４】
処理が開始すると、先ず、記録モードフラグをチェックし（ステップＳ９１）、Ｔｒｕｅ、すなわち記録画面が表示されている場合（ステップＳ９１のＹｅｓ）は新規画面処理を実行する（ステップＳ９２）。
【０１２５】
次いで、ＰＣアプリフラグをチェックし（ステップＳ９３）、Ｔｒｕｅ、すなわち、現在すでにＰＣアプリが起動表示されている場合（ステップＳ９３のＹｅｓ）は、ＰＣアプリを置き換えるか否かを確認し（ステップＳ９４、Ｓ９５）、置き換えない場合（ステップＳ９５のＮｏ）は処理を終了し、置き換える場合（ステップＳ９５のＹｅｓ）は起動中のアプリを終了する（ステップＳ９６）。
【０１２６】
次いで、アプリケーション文書を介し起動するＰＣアプリを選択するダイアログを表示して選択されたＰＣアプリを起動し（ステップＳ９７）、起動したＰＣアプリのプロセス情報を取得し、処理を終了する。
【０１２７】
本処理によりＯＳのデスクトップ上に所望のＰＣアプリのウインドウを表示できる。なお、本例では起動アプリケーションはアドビ社のAcrobat Readerやマイクロソフト社のOffice Viewerを想定している。
【０１２８】
＜ＰＣアプリ操作処理＞
図１８はＰＣアプリ操作処理の例を示すフローチャートである。
【０１２９】
図１８において、利用者がＰＣアプリ操作ボタン１４５を押下することでＰＣアプリ操作処理が開始する。
【０１３０】
処理が開始すると、先ず、ＰＣアプリフラグをチェックし（ステップＳ１０１）、Ｔｒｕｅ、すなわちＰＣアプリが起動している場合（ステップＳ１０１のＹｅｓ）のみ以降の処理を行う。
【０１３１】
すなわち、記録モードフラグをチェックし（ステップＳ１０２）、Ｔｒｕｅ、すなわち記録画面が表示されている場合（ステップＳ１０２のＹｅｓ）は新規画面処理を行う（ステップＳ１０３）。
【０１３２】
次いで、ＰＣアプリ起動処理で取得しているアプリのプロセス情報をもとに操作ボタンに対応するキーイベントをＰＣアプリに送信し（ステップＳ１０４）、処理を終了する。
【０１３３】
例えば、図６の画面例では、ページ送りキー、ページ戻しキー、決定キーの３つのＰＣアプリ操作ボタン１４５が設けられており、それぞれＰＣアプリ起動時にそれぞれのボタンを押下することで、キーイベントをＰＣアプリケーションに入力することができる。
【０１３４】
＜記録画面保存処理＞
図１９は記録画面保存処理の例を示すフローチャートである。
【０１３５】
図１９において、利用者が記録画面保存ボタン１５２を押下することで記録画面保存処理が開始する。
【０１３６】
処理が開始すると、先ず、保存先フォルダを取得するためのダイアログを表示する（ステップＳ１１１）。
【０１３７】
次いで、保存先フォルダの情報が所得された場合（ステップＳ１１２のＹｅｓ）、記録画面ＤＢ１３１に保存されているすべての画面データについて手書きデータと背景画像の合成画像を作成し、保存先フォルダに保存する（ステップＳ１１３）。
【０１３８】
なお、本例ではすべてのデータを保存するが、保存データを利用者が選択できる機能を付加することで利用者の利便性が向上する。
【０１３９】
＜接続機器表示処理＞
利用者が専用ＰＣにＶＧＡまたはＤｉｓｐｌａｙＰｏｒｔを利用して接続機器３を接続することで、接続機器３の表示画像をディスプレイに表示する。また、利用者が専用ＰＣから接続機器３の接続を解除することで、ディスプレイへの接続機器３からの表示を解除する。
【０１４０】
＜終了処理＞
利用者が終了ボタン１５３を押下することでアプリケーションを終了する。なお、詳細は明示しないが、終了前に記録画面を保存するかどうかの確認処理を行うことで利用者の利便性が向上する。
【０１４１】
＜状態情報初期設定処理＞
図２０は状態情報初期設定処理の例を示すフローチャートである。
【０１４２】
アプリケーションが起動すると、先ず、状態情報管理をするための状態情報ＤＢ１３２が初期化される。
【０１４３】
図２０において、処理を開始すると、先ず、状態情報ＤＢ１３２の各レコードで定期実行フラグがｆａｌｓｅであるレコード、すなわち一時的に実行される状態情報のレコードの実行時間をＮＵＬＬする（ステップＳ１２１）。詳細な動作例は後述するが、実行時間をＮＵＬＬにすることで状態情報を非表示にすることができる。
【０１４４】
次いで、状態情報ＤＢ１３２の各レコードで定期実行フラグがｔｒｕｅであるレコードの実行時間として現在時間に実行遅延秒を加えた時間を代入する（ステップＳ１２２）。
【０１４５】
次いで、状態情報ＤＢ１３２の各レコードで主グループフラグがｆａｌｓｅであるレコード、すなわち初期状態では非表示にする定期実行する状態情報の実行時間をＮＵＬＬにする（ステップＳ１２３）。
【０１４６】
例えば、１１：００：００に初期設定処理を実行した場合の状態情報ＤＢ１３２の例を図２１に示す。この例では、定期実行フラグがｆａｌｓｅであるＩＤが１、２、３のレコード、および定期実行グラグはｔｒｕｅであるが主グループフラグがｆａｌｓｅであるＩＤが５のレコードの実行時間はＮＵＬＬになっており、他のレコードには１１：００：００に実行遅延秒を加えた時間が代入されている。
【０１４７】
＜状態情報登録処理＞
図２２は状態情報登録処理の例を示すフローチャートである。
【０１４８】
図２２において、処理を開始すると、先ず、操作イベント取得処理で送信される実行される機能情報を受信する（ステップＳ１３１）。機能情報としては状態情報ＤＢ１３２の各レコードを一意に識別可能な識別子を用いればよく、例えば、操作ボタンメニューで新規ページボタンが押下されると機能情報として識別子２が、またページ送りボタンが押下されると機能情報として識別子１と状態メッセージ変数値として現在のページ番号に１を加えた値が受信される。
【０１４９】
次いで、受信した機能情報と一致する状態情報ＤＢ１３２のレコードを参照し（ステップＳ１３２）、参照レコードの実行時間に現在の時間に実行遅延秒を加えた時間を代入する（ステップＳ１３３）。
【０１５０】
次いで、受信した機能情報が状態メッセージ変数値を含む場合（ステップＳ１３４のＹｅｓ）、参照レコードの状態メッセージ変数に状態メッセージ変数値を代入する（ステップＳ１３５）。
【０１５１】
次いで、グループＩＤがＮＵＬＬでない場合（ステップＳ１３６のＹｅｓ）、すなわち背反する状態情報が存在する場合、参照レコードのグループＩＤと同じＩＤを持つ背反する状態情報のレコードの実行時間をＮＵＬＬ、すなわち非表示にする（ステップＳ１３７）。
【０１５２】
図２３（ａ）〜（ｃ）にそれぞれ、１１：０５：３９にＰＣアプリ操作ボタン１４５を押下した時、１１：１３：０９に新規画面ボタン１５０を押下した時、１１：２７：５０に現在表示が１ページの時に新規画面ボタン１５０を押下した時の、状態情報ＤＢ１３２のレコードの登録、更新例を示す。
【０１５３】
図２３（ａ）では１１：０５：３９に機能情報としてＩＤ５を受信することで、ＩＤ５のレコードの実行時間として１１：０５：３９に６０秒を加えた時間である１１：０６：３９を代入し、また対象レコードのグループＩＤが１のため同じグループＩＤ１をもつＩＤ４の実行時間をＮＵＬＬにする。
【０１５４】
また、図２３（ｂ）では１１：１３：０９に機能情報としてＩＤ２を受信することで、ＩＤ２のレコードの実行時間として１１：１３：０９に０秒を加えた時間である１１：１３：０９を代入する。
【０１５５】
また、図２３（ｃ）では１１：２７：５０に機能情報としてＩＤ１，状態メッセージ変数２を受信することで、ＩＤ１のレコードの実行時間として１１：２７：５０に０秒を加えた時間である１１：２７：５０を、また状態メッセージ変数として２を代入する。
【０１５６】
＜状態情報表示制御処理（状態情報表示監視処理）＞
図２４は状態情報表示制御処理の例を示すフローチャートである。
【０１５７】
状態情報表示制御処理は一定時間間隔、例えば０．５秒間隔で定期的に実行する。
【０１５８】
図２４において、処理を開始すると、先ず、状態情報ＤＢ１３２を参照し、次のレコードがなくなる（ステップＳ１４１のＮｏ）まで、すべてのレコードについて以下の処理を実行する。
【０１５９】
先ず、状態情報ＤＢ１３２のレコードを取り出し（ステップＳ１４２）、取得した対象レコードの実行時間がＮＵＬＬでなく、かつ実行時間が現在時間を過ぎているかをチェックし（ステップＳ１４３）、条件を満たす場合以下の処理を実行する。
【０１６０】
すなわち、状態メッセージ変数があるかをチェックし（ステップＳ１４４）、状態メッセージ変数値がある場合（ステップＳ１４４のＹｅｓ）、状態メッセージに状態メッセージ変数を埋め込む（ステップＳ１４５）。
【０１６１】
次いで、状態メッセージを状態情報表示機能に送信する（ステップＳ１４６）。
【０１６２】
次いで、状態情報が表示されるレコードの定期実行フラグをチェックし（ステップＳ１４７）、ｔｒｕｅすなわち定期的に表示される状態情報の場合（ステップＳ１４７のＹｅｓ）、実行時間として現在の時間に実行遅延秒を加えたものを代入し（ステップＳ１４８）、またｆａｌｓｅすなわち、一時的に表示する状態情報の場合（ステップＳ１４７のＮｏ）、実行時間にＮＵＬＬとする（ステップＳ１４９）。
【０１６３】
例えば、図２３（ｃ）の状態情報ＤＢ１３２を１１：２７：５０に状態情報表示制御処理を実行すると、ＩＤ１のレコードの実行時間が現在時間と一致するため状態メッセージが状態情報表示機能１３０に送信され、対象レコードの実行時間がＮＵＬＬになる。
【０１６４】
＜状態情報表示処理＞
図２５は状態情報表示処理の例を示すフローチャートである。
【０１６５】
状態情報表示処理では状態情報表示制御機能１２９から送信される状態メッセージを受信する毎に処理が実行される。
【０１６６】
図２５において、処理を開始すると、先ず、状態メッセージを受信し（ステップＳ１５１）、現在状態情報の表示が実行中か否かをチェックし（ステップＳ１５２）、表示中の場合（ステップＳ１５２のＹｅｓ）はＮ秒処理をウェイトする（ステップＳ１５３）。ウェイト時間は０．５秒程度にすればよいが、後述する状態情報ウインドウの表示時間より小さい値にする。
【０１６７】
状態情報が表示されていない場合（ステップＳ１５２のＮｏ）は、状態情報ウインドウを表示し（ステップＳ１５４）、状態情報ウインドウに状態メッセージをＭ秒間表示する（ステップＳ１５５）。表示時間は２秒程度にすればよい。
【０１６８】
最後に状態情報ウインドウを非表示にする（ステップＳ１５６）。
【０１６９】
図２６に状態情報ウインドウの表示例を示す。例えば、状態メッセージとして図５に示した状態情報ＤＢ１３２のＩＤ４の状態メッセージを受信すると、それまでは図２６（ａ）の表示だったものが、図２６（ｂ）に示すように状態情報ウインドウ１５４が２秒間表示され、その後、図２６（ａ）に示すように状態情報ウインドウ１５４が非表示となる。なお、状態情報の更新がない場合は６０秒後に再び同様の状態情報ウインドウ１５４が２秒間表示される。
【０１７０】
＜総括＞
以上説明したように、本実施形態によれば、表示機能と表示面からの入力機能を持ち、外部接続したＰＣの操作および手書き情報の入力として用いる機能をもった電子情報ボード等において、現在選択されているモードを所定のタイミングで画面上に表示することにより利用者が現在のモードを意識することができ、モード誤りによる操作誤りを軽減することができる。
【０１７１】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１７２】
１００      表示システム
１１        表示装置
１２        載置台
１０１      制御部
１０２      主記憶部
１０３      補助記憶部
１０４      外部記憶装置Ｉ／Ｆ部
１０５      外部機器接続Ｉ／Ｆ部
１０６      ネットワークＩ／Ｆ部
１０７      入力部
１０８      表示部
１１１      初期設定機能
１１２      操作イベント取得機能
１１３      手書き入力・記録モードの機能
１１４      手書き入力機能
１１５      記録画面切り替え機能
１１６      新規画面機能
１１７      ペンの色変更機能
１１８      ペンの太さ変更機能
１１９      編集モード機能
１２０      削除モード機能
１２１      ＰＣ操作・表示モードの機能
１２２      ＰＣアプリ起動機能
１２３      ＰＣアプリ操作機能
１２４      両モードの機能
１２５      記録画面保存機能
１２６      終了機能
１２７      状態情報初期設定機能
１２８      状態情報登録機能
１２９      状態情報表示制御機能
１３０      状態情報表示機能
１３１      記録画面ＤＢ
１３２      状態情報ＤＢ
１３３      接続機器操作機能
１４１      アプリケーション画面
１４２      アプリケーションウインドウ
１４３      操作ボタンバー
１４４      ＰＣアプリ起動ボタン
１４５      ＰＣアプリ操作ボタン
１４６      ペンの色変更ボタン
１４７      ペンの太さ変更ボタン
１４８      編集モードボタン
１４９      削除モードボタン
１５０      新規画面ボタン
１５１      記録画面呼び出しボタン
１５２      記録画面保存ボタン
１５３      終了ボタン
１５４      状態情報ウインドウ
１５５      接続機器操作ボタン
２          外部記憶装置
３          接続機器
Ｗ１        操作ボタンウインドウ
Ｗ２        手書きウインドウ
Ｗ３        背景ウインドウ
Ｗ４        デスクトップ
【先行技術文献】
【特許文献】
【０１７３】
【特許文献１】特開２００５−０９２５３８号公報
【図１】
2013239147.tif 000003
【図２】
2013239147.tif 000004
【図３】
2013239147.tif 000005
【図４】
2013239147.tif 000006
【図５】
2013239147.tif 000007
【図６】
2013239147.tif 000008
【図７】
2013239147.tif 000009
【図８】
2013239147.tif 000010
【図９】
2013239147.tif 000011
【図１０】
2013239147.tif 000012
【図１１】
2013239147.tif 000013
【図１２】
2013239147.tif 000014
【図１３】
2013239147.tif 000015
【図１４】
2013239147.tif 000016
【図１５】
2013239147.tif 000017
【図１６】
2013239147.tif 000018
【図１７】
2013239147.tif 000019
【図１８】
2013239147.tif 000020
【図１９】
2013239147.tif 000021
【図２０】
2013239147.tif 000022
【図２１】
2013239147.tif 000023
【図２２】
2013239147.tif 000024
【図２３】
2013239147.tif 000025
【図２４】
2013239147.tif 000026
【図２５】
2013239147.tif 000027
【図２６】
2013239147.tif 000028